【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
複数の第１の電気的に絶縁された導体セグメントが配設された第１の誘電体と、
前記第１の誘電体の上に配設されるとともに、該第１の誘電体と位置合わせされた第２の誘電体であって、複数の第２の電気的に絶縁された導体セグメントが配設された第２の誘電体と、
前記第１の誘電体と前記第２の誘電体との間に延びる開口を内部に有するコアと、
複数の第３の電気的に絶縁された導体セグメントとを備える電気変圧器であって、
前記第３の電気的に絶縁された導体セグメントの第１の端部が前記複数の第１の電気的に絶縁された導体セグメントに電気的に接続され、前記第３の電気的に絶縁された導体セグメントの第２の端部が前記複数の第２の電気的に絶縁された導体セグメントに電気的に接続されて、該変圧器に対し一次巻線の一部と二次巻線の一部とを提供し、
前記一次巻線は、前記第１の電気的に絶縁された導体セグメントのうちの第１のものと、前記第２の電気的に絶縁された導体セグメントのうちの第１のものと、前記第３の電気的に絶縁された導体セグメントのうちの第１のものとを備え、
前記二次巻線は、前記第１の電気的に絶縁された導体セグメントのうちの第２のものと、前記第２の電気的に絶縁された導体セグメントのうちの第２のものと、前記第３の電気的に絶縁された導体セグメントのうちの第２のものとを備える、
電気変圧器。
【請求項２】
前記第１および第２の誘電体は一対のオーバーレイ面内に配設され、前記複数の第３の電気的に絶縁された導体セグメントが前記オーバーレイ面に垂直に配設される、請求項１に記載の電気変圧器。
【請求項３】
前記一次および二次巻線は前記コアの周りにループを提供する、請求項２に記載の電気変圧器。
【請求項４】
前記第３の電気的に絶縁された導体セグメントは前記コア内に配設される、請求項３に記載の電気変圧器。
【請求項５】
前記コアはトロイダル形状の本体を備え、該トロイダル形状の本体の中心領域中にコアが配設される、請求項４に記載の電気変圧器。
【請求項６】
複数の第１の電気的に絶縁された導体セグメントが複数の電気絶縁されたレベルのうちのそれぞれに配設された第１の誘電体と、
前記第１の誘電体の上に配設されるとともに、該第１の誘電体に位置合わせされた第２の誘電体であって、その複数の電気絶縁されたレベルのうちのそれぞれに配設された複数の第２の電気的に絶縁された導体セグメントを有する第２の誘電体と、
複数の第３の電気的に絶縁された導体セグメントと、
複数の第４の電気的に絶縁された導体セグメントとを備える電気変圧器であって、
前記複数の第３および第４の導体セグメントは、前記第１の誘電体と前記第２の誘電体との間に配設され、
前記第３の電気的に絶縁された導体セグメントの第１の端部および前記第４の電気的に絶縁された導体セグメントの第１の端部は前記複数の第１の電気的に絶縁された導体セグメントに電気的に接続され、前記第３の電気的に絶縁された導体セグメントおよび前記第４の電気的に絶縁された導体セグメントの第２の端部は前記複数の第２の電気的に絶縁された導体セグメントに電気的に接続されて、該変圧器に対し一次巻線と二次巻線とを提供し、
前記一次巻線は、前記第１の電気的に絶縁された導体セグメントのうちの第１のものと、前記第２の電気的に絶縁された導体セグメントのうちの第１のものと、前記第３および第４の電気的に絶縁された導体セグメントのうちの第１のものとを備え、
前記二次巻線は、前記第１の電気的に絶縁された導体セグメントのうちの第２のものと、前記第２の電気的に絶縁された導体セグメントのうちの第２のものと、前記第３および第４の電気的に絶縁された導体セグメントのうちの第２のものとを備える、
電気変圧器。
【請求項７】
前記第１および第２の誘電体は一対のオーバーレイ面内に配設され、前記複数の第３および第４の電気的に絶縁された導体セグメントは前記オーバーレイ面に垂直に配設される、請求項６に記載の電気変圧器。
【請求項８】
前記第１の誘電体と前記第２の誘電体との間に配設されるコアを備え、前記一次および二次巻線は該コアの周りにループを提供する、請求項７に記載の電気変圧器。
【請求項９】
前記第３および第４の電気的に絶縁された導体セグメントは前記コア内に埋め込まれる、請求項８に記載の電気変圧器。
【請求項１０】
前記コアは、一対の隣接する、トロイダル形状の本体を備え、前記第３および第４の電気的に絶縁された導体セグメントのそれぞれは、前記一対のトロイダル形状の本体のうちの対応するものの中心領域中に配設される、請求項９に記載の電気変圧器。
【請求項１１】
複数の第１の電気的に絶縁された導体セグメントが複数の電気絶縁されたレベルのそれぞれに配設された第１の多層プリント基板と、
前記第１の多層プリント基板の上に配設されるとともに、該第１の多層プリント基板に位置合わせされた第２の多層プリント基板であって、複数の第２の電気的に絶縁された導体セグメントが複数の電気絶縁されたレベルのうちのそれぞれに配設された第２の多層プリント基板と、
前記第１の多層プリント基板と前記第２の多層プリント基板との間に延びる開口を内部に有するコアと、
前記開口中に配設された誘電体本体であって、複数の第３の電気的に絶縁された導体セグメントが内部に配設された誘電体本体とを備える電気変圧器であって、
前記第３の電気的に絶縁された導体セグメントの第１の端部が前記複数の第１の電気的に絶縁された導体セグメントに電気的に接続され、前記第３の電気的に絶縁された導体セグメントの第２の端部が前記複数の第２の電気的に絶縁された導体セグメントに電気的に接続されて、該変圧器に対し一次巻線の一部と二次巻線の一部とを提供し、
前記一次巻線は、前記第１の電気的に絶縁された導体セグメントのうちの第１のものと、前記第２の電気的に絶縁された導体セグメントのうちの第１のものと、前記第３の電気的に絶縁された導体セグメントのうちの第１のものとを備え、
前記二次巻線は、前記第１の電気的に絶縁された導体セグメントのうちの第２のものと、前記第２の電気的に絶縁された導体セグメントのうちの第２のものと、前記第３の電気的に絶縁された導体セグメントのうちの第２のものとを備える、
電気変圧器。
【請求項１２】
前記第１および第２の多層プリント基板が一対のオーバーレイ面内に配設され、前記複数の第３の電気的に絶縁された導体セグメントは前記オーバーレイ面に垂直に配設される、請求項１１に記載の電気変圧器。
【請求項１３】
前記一次および二次巻線は前記コアの周りにループを提供する、請求項１２に記載の電気変圧器。
【請求項１４】
前記第３の電気的に絶縁された導体セグメントは前記コア内に埋め込まれる、請求項１３に記載の電気変圧器。
【請求項１５】
前記コア材料はトロイダル形状の本体を備え、誘電体本体が該トロイダル形状の本体の中心領域中に配設される、請求項１４に記載の電気変圧器。
【請求項１６】
複数の第１の電気的に絶縁された導体セグメントが複数の電気絶縁されたレベルのそれぞれに配設された第１の多層プリント基板と、
前記第１の多層プリント基板の上に配設されるとともに、該第１の多層プリント基板に位置合わせされた第２の多層プリント基板であって、複数の第２の電気的に絶縁された導体セグメントが複数の電気絶縁されたレベルのうちのそれぞれに配設された第２の多層プリント基板と、
前記第１の多層プリント基板と前記第２の多層プリント基板との間に配設される一対の誘電体本体であって、複数の第３の電気的に絶縁された導体セグメントがそれぞれの内部に配設された一対の誘電体本体とを備える電気変圧器であって、
前記第３の電気的に絶縁された導体セグメントの第１の端部が前記複数の第１の電気的に絶縁された導体セグメントに電気的に接続され、前記第３の電気的に絶縁された導体セグメントの第２の端部が前記複数の第２の電気的に絶縁された導体セグメントに電気的に接続されて、該変圧器に対し一次巻線と二次巻線とを提供し、
前記一次巻線は、前記第１の電気的に絶縁された導体セグメントのうちの第１のものと、前記第２の電気的に絶縁された導体セグメントのうちの第１のものと、前記第３の電気的に絶縁された導体セグメントのうちの第１のものとを備え、
前記二次巻線は、前記第１の電気的に絶縁された導体セグメントのうちの第２のものと、前記第２の電気的に絶縁された導体セグメントのうちの第２のものと、前記第３の電気的に絶縁された導体セグメントのうちの第２のものとを備える、
電気変圧器。
【請求項１７】
前記第１および第２の多層プリント基板は一対のオーバーレイ面内に配設され、前記複数の第３の電気的に絶縁された導体セグメントは前記オーバーレイ面に垂直に配設される、請求項１６に記載の電気変圧器。
【請求項１８】
前記第１の多層プリント基板と前記第２の多層プリント基板との間に配設されるコア材料を備え、前記一次および二次巻線は該コア材料の周りにループを提供する、請求項１７に記載の電気変圧器。
【請求項１９】
前記第３の電気的に絶縁された導体セグメントは前記コア材料内に埋め込まれる、請求項１８に記載の電気変圧器。
【請求項２０】
前記コア材料は、一対の隣接する、トロイダル形状の本体を備え、一対の誘電体本体のそれぞれが、前記一対のトロイダル形状の本体のうちの対応するものの中心領域中に配設される、請求項１９に記載の電気変圧器。
【請求項２１】
複数の第１の電気的に絶縁された導体セグメントが複数の電気絶縁されたレベルのそれぞれに配設された第１の多層プリント基板と、
該第１の多層プリント基板上に配設されるとともに、該第１の多層プリント基板に位置合わせされた第２の多層プリント基板であって、複数の第２の電気的に絶縁された導体セグメントが複数の電気絶縁されたレベルのうちのそれぞれに配設された第２の多層プリント基板と、
前記第１の多層プリント基板と前記第２の多層プリント基板との間に配設される誘電体スペーサ部材であって、該スペーサ部材を貫通する複数の開口を有し、該開口は該スペーサ部材の上面と下面との間を通過する、誘電体スペーサ部材と、
複数のトロイダル形状のコアであって、それぞれが前記誘電体スペーサ部材の前記複数の開口のうちの対応するものの中に配設され、それぞれが開口を内部に有し、該開口は前記誘電体スペーサ部材中の前記開口と同軸である、コアと、
複数の誘電体本体であって、それぞれが前記コア中の前記開口のうちの対応するものの中に配設され、第３の電気的に絶縁された導体セグメントの組のうちの対応するものを有する誘電体本体とを備える電気変圧器構造であって、
前記第３の電気的に絶縁された導体セグメントの第１の端部が前記複数の第１の電気的に絶縁された導体セグメントに電気的に接続され、前記第３の電気的に絶縁された導体セグメントの第２の端部が前記複数の第２の電気的に絶縁された導体セグメントに電気的に接続されて、該変圧器に対し一次巻線と二次巻線とを提供し、
前記一次巻線は、前記第１の電気的に絶縁された導体セグメントのうちの第１のものと、前記第２の電気的に絶縁された導体セグメントのうちの第１のものと、前記第３の電気的に絶縁された導体セグメントのうちの第１のものとを備え、
前記二次巻線は、前記第１の電気的に絶縁された導体セグメントのうちの第２のものと、前記第２の電気的に絶縁された導体セグメントのうちの第２のものと、前記第３の電気的に絶縁された導体セグメントのうちの第２のものとを備える、
電気変圧器構造。
【請求項２２】
前記第１および第２の多層プリント基板は一対のオーバーレイ面内に配設され、前記複数の第３の電気的に絶縁された導体セグメントは前記オーバーレイ面に垂直に配設される、請求項２１に記載の電気変圧器。
【請求項２３】
前記一次および二次巻線は前記コアの周りにループを提供する、請求項２２に記載の電気変圧器。